(57)【特許請求の範囲】
【請求項１】
第１のカメラが直接接続され得る第１のコネクタと、
前記第１のカメラとは異なる第２のカメラがアダプタケーブルを介して接続され得る第２のコネクタと、
前記第１のカメラが前記第１のコネクタに接続されているときに前記第２のコネクタと前記アダプタケーブルとの接続を阻止し、前記アダプタケーブルが前記第２のコネクタに接続されているときに前記第１のカメラが前記第１のコネクタに接続されることを阻止する機構とを備え、
前記機構は、前記第１のカメラが前記第１のコネクタに接続されるときに、前記第２のコネクタの端子を覆う部分を含むとともに、前記第２のカメラが前記第２のコネクタに接続されているときに、前記第１のカメラの前記第１のコネクタへの装着を阻止する突起部を含み、
１つのＵＳＢ（Universal Serial Bus）ポートを有する制御基板をさらに備え、
前記第１のコネクタおよび前記第２のコネクタの双方が前記１つのＵＳＢポートに電気的に接続された、プリンタ。
【請求項２】
第１のカメラが直接接続され得る第１のコネクタと、
前記第１のカメラとは異なる第２のカメラがアダプタケーブルを介して接続され得る第２のコネクタと、
前記第１のカメラが前記第１のコネクタに接続されているときに前記第２のコネクタと前記アダプタケーブルとの接続を阻止し、前記アダプタケーブルが前記第２のコネクタに接続されているときに前記第１のカメラが前記第１のコネクタに接続されることを阻止する機構とを備えた、プリンタ。
【請求項３】
前記機構は、前記第１のカメラが前記第１のコネクタに接続されるときに、前記第２のコネクタの端子を覆う部分を含む、請求項２に記載のプリンタ。
【請求項４】
前記機構は、前記第２のカメラが前記第２のコネクタに接続されているときに、前記第１のカメラの前記第１のコネクタへの装着を阻止する突起部を含む、請求項２に記載のプリンタ。
【請求項５】
１つのＵＳＢ（Universal Serial Bus）ポートを有する制御基板をさらに備え、
前記第１のコネクタおよび前記第２のコネクタの双方が前記１つのＵＳＢポートに電気的に接続された、請求項２に記載のプリンタ。
【発明の詳細な説明】
【技術分野】
【０００１】
本発明は、カメラの画像データを用紙にプリントすることが可能なプリンタに関するものである。
【背景技術】
【０００２】
従来から、カメラの画像データを受取り、その画像データを所定の用紙にプリントすることが可能なプリンタが用いられている。
【特許文献１】特開平１１−２３９３１２号公報
【発明の開示】
【発明が解決しようとする課題】
【０００３】
上記従来のプリンタは、カメラに直接接続され得る一方のコネクタとアダプタケーブルに接続され得る他方のコネクタとを有している。
【０００４】
この従来のプリンタによれば、一方のコネクタに一方のカメラが直接接続されているときに、他方のコネクタにアダプタケーブルを介して他方のカメラが接続され得る。また、他方のコネクタにアダプタケーブルを介して他方のカメラが接続されているときに、一方のコネクタに一方のカメラが直接接続され得る。そのため、ユーザが誤って２つのコネクタのそれぞれにカメラを接続してしまう事態が生じ得る。このような事態が生じた場合には、２種類のカメラからそれそれプリンタに２種類の画像データが送信され、プリンタ内で２種類の画像データが混在してしまう。
【０００５】
本発明は、上述の問題に鑑みなされたものであり、その目的は、２種類のカメラから２種類の画像データを受取るための２種類のコネクタを有するプリンタにおいて、一方のカメラが一方のコネクタに接続されている場合に、他方のカメラが他方のコネクタに接続されることが防止されたプリンタを提供することである。
【課題を解決するための手段】
【０００６】
本発明のプリンタは、第１のカメラが直接接続され得る第１のコネクタと、第１のカメラとは異なる第２のカメラがアダプタケーブルを介して接続され得る第２のコネクタと、第１のカメラが第１のコネクタに接続されているときに第２のコネクタとアダプタケーブルとの接続を阻止し、アダプタケーブルが第２のコネクタに接続されているときに第１のカメラが第１のコネクタに接続されることを阻止する機構とを備えている。また、前述の機構は、第１のカメラが第１のコネクタに接続されるときに、第２のコネクタの端子を覆う部分を含むとともに、第２のカメラが第２のコネクタに接続されているときに、第１のカメラの第１のコネクタへの装着を阻止する突起部を含んでいる。また、プリンタは、１つのＵＳＢ（Universal Serial Bus）ポートを有する制御基板をさらに備え、第１のコネクタおよび第２のコネクタの双方が１つのＵＳＢポートに電気的に接続されている。
【０００７】
上記の構成によれば、以下の発明の効果の全てが得られる。
本発明のプリンタは、第１のカメラが直接接続され得る第１のコネクタと、第１のカメラとは異なる第２のカメラがアダプタケーブルを介して接続され得る第２のコネクタと、第１のカメラが第１のコネクタに接続されているときに第２のコネクタとアダプタケーブルとの接続を阻止し、アダプタケーブルが第２のコネクタに接続されているときに第１のカメラが第１のコネクタに接続されることを阻止する機構とを備えている。
【０００８】
上記の構成によれば、第１のカメラおよび第２のカメラの双方が同時にプリンタに接続されることが防止される。
【０００９】
また、前述の機構は、第１のカメラが第１のコネクタに接続されるときに、第２のコネクタの端子を覆う部分を含んでいてもよい。これによれば、前述の機構が複雑になることがない。
【００１０】
また、前述の機構は、第２のカメラが第２のコネクタに接続されているときに、第１のカメラの第１のコネクタへの装着を阻止する突起部を含んでいてもよい。これによれば、前述の機構が複雑になることがない。
【００１１】
また、プリンタは、１つのＵＳＢ（Universal Serial Bus）ポートを有する制御基板をさらに備えており、第１のコネクタおよび第２のコネクタの双方が１つのＵＳＢポートに電気的に接続されていてもよい。
【００１２】
上記の構成によれば、第１のカメラのデータと第２のカメラのデータとがプリンタ内で混在してしまうことに起因する不具合の発生が前述の機構によって防止される。
【発明を実施するための最良の形態】
【００１３】
以下、図１〜図５を用いて本発明の実施の形態のプリンタを説明する。
本実施の形態のプリンタ１は、図１に示すように、開口１ａ、開口１ｂ、および開口１ｄを有している。開口１ａにはコネクタ１４が面している。開口１ｂおよび１ｃは、凹部１ｃの底面に設けられている。開口１ｂから突起部５０ｂが突出している。また、開口１ｄからコネクタ１２の先端の端子部が突出している。また、プリンタ１は、図２に示すように、分岐盤１３を有している。分岐盤１３は、コネクタ１２およびコネクタ１４のそれぞれに配線によって電気的に接続されている。また、分岐盤１３は、制御基板１１のＵＳＢ（Universal Serial Bus）ポート１０に配線によって電気的に接続されている。
【００１４】
カメラ２の画像データは、コネクタ１２、分岐盤１３、およびＵＳＢポート１０を介して、制御基板１１内に入力される。カメラ３の画像データは、コネクタ１４、分岐盤１３、およびＵＳＢポート１０を介して、制御基板１１内に入力される。
【００１５】
また、カメラ２のコネクタ２１はプリンタ１のコネクタ１２に直接接続され得る。また、カメラ３のコネクタ３４はアダプタケーブル４の一方のコネクタ４３に接続され得る。アダプタケーブル４の他方のコネクタ４４はプリンタ１のコネクタ１４に接続され得る。
【００１６】
また、プリンタ１内には、図３に示すように、プリンタ１の内壁に固定された固定板１００と固定板１００の上面に固定されたばね２００とが設けられている。ばね２００は、可動部材５０を弾性的に支持している。
【００１７】
可動部材５０は、直線状部５０ｃの一方端から直線状部５０ｃに対して垂直な方向に延びる折れ曲がり部５０ａと、直線状部５０ｃの他方端の近傍から上方に向かって突出する突出部５０ｂとを備えている。突出部５０ｂは、プリンタ１の開口１ｂを貫通している。
【００１８】
また、図４に示すように、カメラ２のコネクタ２１がプリンタ１のコネクタ１２に接続されたときには、カメラ２の下面が突出部５０ｂを押す。それにより、突出部５０ｂは下方へ移動し、固定部材１００と直線状部５０ｃとの間でばね２０が縮む。また、折れ曲がり部５０ａが下方へ移動する。それにより、プリンタ１の開口１ａが折れ曲がり部５０ａによって塞がれる。つまり、プリンタ１のコネクタ１２の端子が覆われる。その結果、アダプタケーブル４のコネクタ４４は、プリンタ１のコネクタ１４に接続され得なくなる。
【００１９】
一方、図５に示すように、アダプタケーブル４のコネクタ４４がプリンタ１のコネクタ１４に接続されている場合には、折れ曲がり部５０ａの下端がコネクタ４４に当接しているため、折れ曲がり部５０ａは下方へ移動できない。その結果、突出部５０ｂが開口１ｂよりも上方に突出した状態が維持される。したがって、ユーザがカメラ２を下へ移動させようとしても、カメラ２は突出部５０ｂによって下方への移動が阻止される。その結果、カメラ２のコネクタ２１とプリンタ１のコネクタ１２とを接続することができない。
【００２０】
したがって、上記のような本実施の形態のプリンタによれば、２つのカメラ２および３が同時にプリンタ１のコネクタ１２および１４に接続され、２つのカメラ２および３の画像データが制御基板１１内で混在することが防止される。
【００２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２２】
【図１】実施の形態のプリンタおよび２つのカメラの外観斜視図である。
【図２】実施の形態のプリンタの制御基板、分岐盤、および２つのコネクタの接続関係を示す模式図である。
【図３】２つのコネクタが同時に使用されることを防止する機構を説明するための図である。
【図４】一方のカメラがプリンタのコネクタへ直接接続された状態を説明するための図である。
【図５】アダプタケーブルのコネクタがプリンタのコネクタに接続された状態を説明するための図である。
【符号の説明】
【００２３】
１  プリンタ、１ａ，１ｂ，１ｄ  開口、１ｃ  凹部、２，３  カメラ、４  アダプタケーブル、１０  ＵＳＢポート、１１  制御基板、１２  コネクタ、１３  分岐盤、１４，２１，３４，４３，４４  コネクタ、５０  可動部材、５０ａ  折れ曲がり部、５０ｂ  突出部、１００  固定部材、２００  ばね。
【図１】
0004657951.tif 000002
【図２】
0004657951.tif 000003
【図３】
0004657951.tif 000004
【図４】
0004657951.tif 000005
【図５】
0004657951.tif 000006